【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
物品を補剛するための補剛アセンブリにおいて、
前記補剛アセンブリは、前記物品上に構成可能な複数のメインモジュールを備え、
各メインモジュールは、長手方向の主中央軸と、前記物品の一部分が本体内に収容されることができるようにするための長手方向に伸長する細長い外開口と、を規定する本体と、
前記本体内の収容構造であって、前記収容構造を通して前記物品の一部分を収容するための内部空間を規定する前記収容構造と、を備え、
前記本体は、対向する端部と前記対向する端部の間に伸びる前記主中央軸とを有し、
前記収容構造は、長手方向の補助中央軸を有し、前記収容構造の前記補助中央軸は前記本体の前記主中央軸からオフセットされている、補剛アセンブリ。
【請求項２】
前記収容構造と前記内部空間は細長く、
前記収容構造と前記内部空間は、前記本体を通して中央に伸長し、前記収容構造は、前記物品が前記内部空間を通して伸長できるようにするための対向する開放端を有する、請求項１に記載の補剛アセンブリ。
【請求項３】
前記内部空間は、前記本体の前記主中央軸に沿って実質的に伸長する、請求項２に記載の補剛アセンブリ。
【請求項４】
前記収容構造は、実質的に円形の端部プロフィール、または、実質的にＵ字形のプロフィールのいずれかを有する、請求項１から３のうちのいずれか一項に記載の補剛アセンブリ。
【請求項５】
前記メインモジュールを前記物品に固定するための固定構成さらに含み、前記固定構成は、前記内部空間に伸長する内部突起を備え、
前記内部突起は、前記物品が前記内部空間中で収容されたときに、前記物品を係合するように構成されている、請求項１から４のうちのいずれか一項に記載の補剛アセンブリ。
【請求項６】
前記内部突起は、前記物品によって押しつぶされるように構成されている、請求項５に記載の補剛アセンブリ。
【請求項７】
さらに前記メインモジュールの前記本体の前記対向する端部を互いに締結するための締結構成を前記対向する端部に備え、
前記締結構成は、雄型締結構造と前記雄型締結構造を収容するための雌型締結構造を備える、請求項１から６のうちのいずれか一項に記載の補剛アセンブリ。
【請求項８】
前記締結構成は、前記メインモジュールを互いに締結するための結合モジュールを備える、請求項７に記載の補剛アセンブリ。
【請求項９】
前記雄型締結構造及び雌型締結構造は、バヨネット取付具を備え、
各バヨネット取付具は、前記メインモジュールおよび前記結合モジュールのうちの一方上に放射状に伸長する突起部分を備える、請求項８に記載の補剛アセンブリ。
【請求項１０】
各バヨネット取付具は、前記メインモジュールおよび前記結合モジュールのうちの他方上に円周に伸長する溝を備える、請求項９に記載の補剛アセンブリ。
【請求項１１】
前記雄型締結構造は、前記円周に伸長する溝を備え、
前記溝は、放射状に外側に伸長し、
前記雌型締結構造は、前記突起部分を備える、請求項１０に記載の補剛アセンブリ。
【請求項１２】
前記突起部分は、放射状に内側に伸長する、請求項１１に記載の補剛アセンブリ。
【請求項１３】
前記締結構成は、隣接するメインモジュールを互いに結合するための前記複数の結合モジュールを備える、請求項１０から１２のうちのいずれか一項に記載の補剛アセンブリ。
【請求項１４】
前記雄型締結構造及び雌型締結構造は、前記メインモジュールおよび前記結合モジュール上にそれぞれ設けられている、請求項１３に記載の補剛アセンブリ。
【請求項１５】
各メインモジュールは、前記雄型締結構造のうちの少なくとも１つを備え、
各結合モジュールは、前記雌型締結構造のうちの少なくとも１つを備える、請求項１４に記載の補剛アセンブリ。
【請求項１６】
前記補剛アセンブリは、前記隣接するメインモジュールを互いに締結するための、それぞれの結合モジュールを含む、請求項１３から１５のうちのいずれか一項に記載の補剛アセンブリ。
【請求項１７】
前記結合モジュールまたは各結合モジュールは、前記結合モジュールの前記締結構造間に設けられた保持部を備え、
前記保持部は、開口部を通して前記物品を収容するように構成されている前記開口部を規定し、
前記開口部は側開口を有する、請求項１３から１６のうちのいずれか一項に記載の補剛アセンブリ。
【請求項１８】
前記保持部は、前記開口部に伸長する内部突起部材を備え、
前記内部突起部材は、前記物品が前記開口部中に収容されたときに、前記物品を係合するように構成されている、請求項１７に記載の補剛アセンブリ。
【請求項１９】
前記側開口は、前記物品の前記開口部へのアクセスを可能にするために、前記結合モジュールの長さを伸長する、請求項１７または１８に記載の補剛アセンブリ。
【請求項２０】
各第１の締結構造が実質的な円柱部分を備え、各メインモジュールが一対の実質的な円柱部分を備え、各実質的な円筒状の円柱部分は、前記本体の各々の対向する端部に設けられている、請求項１７から１９のうちのいずれか一項に記載の補剛アセンブリ。
【請求項２１】
前記円柱部分は前記本体から軸方向に伸長し、
各第１の締結構造は、第１の固定構成をさらに含み、
前記第１の固定構成は、前記バヨネット取付具の第１の部分を備える、請求項２０に記載の補剛アセンブリ。
【請求項２２】
前記第１の固定構成は、前記円周に伸長する溝を備え、
前記溝は、前記円柱部分の周りの円周に伸長する、請求項２１に記載の補剛アセンブリ。
【請求項２３】
前記第１の固定構成は、前記溝の一端に停止部材を含み、
前記停止部材は、前記溝にわたって伸長する壁を備える、請求項２２に記載の補剛アセンブリ。
【請求項２４】
前記開口部は、実質的にＵ字形の端部プロフィールを有する、請求項１８から２３のうちのいずれか一項に記載の補剛アセンブリ。
【請求項２５】
前記収容構造は、前記物品の部分が前記内部空間内に収容されることを可能にする内開口を規定し、
前記内開口は、細長く、前記収容構造の全長に伸長する、請求項１から２４のうちのいずれか一項に記載の補剛アセンブリ。
【請求項２６】
前記本体は、前記収容構造によって規定される前記内開口に前記物品を案内する案内路を規定する、請求項２５に記載の補剛アセンブリ。
【請求項２７】
前記案内路は、前記外開口と前記内開口との間に前記物品を案内するように構成され、
前記本体は、前記外開口と前記内開口との間に伸長する対向壁を備え、
前記対向壁は、前記案内路を規定する、請求項２６に記載の補剛アセンブリ。
【請求項２８】
各結合モジュールは、対向する第２の締結構造のペアを備える、請求項２３から２７のうちのいずれか一項に記載の補剛アセンブリ。
【請求項２９】
前記第２の締結構造のそれぞれは、ソケット構造を備える、請求項２８に記載の補剛アセンブリ。
【請求項３０】
各ソケット構造は、中空円柱部分と放射状に内側に伸長する第２の固定構成とを備え、各第２の固定構成は前記バヨネット取付具の第２の部分を備える、請求項２９に記載の補剛アセンブリ。
【手続補正２】
【補正対象書類名】明細書
【補正対象項目名】０１０２
【補正方法】変更
【補正の内容】
【０１０２】
対照的に、図１７を参照して上述したような、停止部材１３１と内側に伸長する第２の部分１３８の構成は、隣接するメインモジュール１１４の平面Ｐが、実質的に１７°だけそれぞれ連続してずれるように、２平面剛性を作り出さない。このような構成により、メインモジュール１１４と結合モジュール１３０とは、相互に垂直のより強い平面およびより弱い平面を作り出さないように、互いに連続してずれるように配置されている。要するに、補剛アセンブリがその円周の周りに実質的に均等に横からの曲げる力に耐えることができるように、より強い平面およびより弱い平面は、補剛アセンブリの主軸についてねじられる。
以下に、出願当初の特許請求の範囲に記載の事項を、そのまま、付記しておく。
［１］  物品を補剛するための補剛アセンブリにおいて、
前記補剛アセンブリは、前記物品上に構成可能な複数のメインモジュールを備え、
各メインモジュールは、本体と、収容構造を通して前記物品の一部分を収容するための前記本体上の前記収容構造とを備える補剛アセンブリ。
［２］  前記収容構造は、前記本体内に設けられ、
前記本体は、内部空間を通して前記物品を収容するための前記内部空間を規定する、［１］に記載の補剛アセンブリ。
［３］  前記収容構造は、前記内部空間を規定し、
前記収容構造は、前記物品が前記内部空間を通して伸長できるようにするための対向する開放端を有する、［２］に記載の補剛アセンブリ。
［４］  前記収容構造と前記内部空間は細長く、
前記収容構造と前記内部空間は、前記本体を通して中央に伸長する、［２］または［３］に記載の補剛アセンブリ。
［５］  前記本体は、長手方向中央軸を規定し、
前記内部空間は、前記本体の前記中央軸に沿って実質的に伸長する、［４］に記載の補剛アセンブリ。
［６］  前記収容構造は、実質的に管状であり、前記本体を通して実質的に中央に伸長する、［５］に記載の補剛アセンブリ。
［７］  前記収容構造は、実質的に円形の端部プロフィール、または、実質的にＵ字形のプロフィールのいずれかを有する、［２］から［６］のうちのいずれか一項に記載の補剛アセンブリ。
［８］  前記メインモジュールを前記物品に固定するための固定構成さらに含む、［１］から［７］のうちのいずれか一項に記載の補剛アセンブリ。
［９］  前記固定構成は、前記内部空間に伸長する内部突起を備え、
前記突起は、前記物品が前記内部空間中で収容されたときに、前記物品を係合するように構成されている、［８］に記載の補剛アセンブリ。
［１０］  前記突起は、前記物品によって押しつぶされるように構成されている、［９］に記載の補剛アセンブリ。
［１１］  前記メインモジュールを互いに締結するための締結構成を備え、
前記締結構成は、第１および第２の締結構造を備える、［１］から［１０］のうちのいずれか一項に記載の補剛アセンブリ。
［１２］  前記第１の締結構造は、雄型締結構造を備える、［１１］に記載の補剛アセンブリ。
［１３］  前記第２の締結構造は、前記雄型締結構造を収容するための雌型締結構造を備える、［１２］に記載の補剛アセンブリ。
［１４］  前記締結構成は、前記メインモジュールを互いに締結するための結合モジュールを備える、［１１］、［１２］または［１３］に記載の補剛アセンブリ。
［１５］  前記第１および第２の締結構造は、バヨネット取付具を備え、
各バヨネット取付具は、前記メインモジュールおよび前記結合モジュールのうちの一方上に放射状に伸長する突起部分を備える、［１４］に記載の補剛アセンブリ。
［１６］  各バヨネット取付具は、前記メインモジュールおよび前記結合モジュールのうちの他方上に円周に伸長する溝を備える、［１５］に記載の補剛アセンブリ。
［１７］  前記第１の締結構造は、前記円周に伸長する溝を備え、
前記溝は、放射状に外側に伸長し、
前記第２の締結構造は、前記突起部分を備える、［１６］に記載の補剛アセンブリ。
［１８］  前記突起部分は、放射状に内側に伸長する、［１７］に記載の補剛アセンブリ。
［１９］  各第１の締結構造は、実質的な円柱部分を備え、
各メインモジュールは、実質的な円柱部分のペアを備え、
各実質的な円柱部分は、前記本体のそれぞれの対向端に設けられている、［１６］から［１８］のうちのいずれか一項に記載の補剛アセンブリ。
［２０］  前記締結構成は、隣接するメインモジュールを互いに結合するための前記複数の結合モジュールを備える、［１６］から［１９］のうちのいずれか一項に記載の補剛アセンブリ。
［２１］  前記第１および第２の締結構造は、前記メインおよび結合モジュール上にそれぞれ設けられている、［２０］に記載の補剛アセンブリ。
［２２］  各メインモジュールは、前記第１の締結構造のうちの少なくとも１つを備え、
各結合モジュールは、前記第２の締結構造のうちの少なくとも１つを備える、［２１］に記載の補剛アセンブリ。
［２３］  前記メインモジュールは、前記第１の締結構造のうちの２つを有し、
前記本体は、対向端とその前記対向端のそれぞれにおける前記第１の締結構造のそれぞれ１つとを有する、［２２］に記載の補剛アセンブリ。
［２４］  前記結合モジュールのそれぞれは、前記第２の締結構造のうちの２つを有する、［２１］、［２２］または［２３］に記載の補剛アセンブリ。
［２５］  前記第１の締結構造は、２つの雄型締結構造を備え、
前記第２の締結構造は、２つの雌型第２の締結構造を備える、［２４］に記載の補剛アセンブリ。
［２６］  前記補剛アセンブリは、前記隣接するメインモジュールを互いに締結するための、それぞれの結合モジュールを含む、［２０］から［２５］のうちのいずれか一項に記載の補剛アセンブリ。
［２７］  前記または各結合モジュールは、前記結合モジュールの前記締結構造間に設けられた保持部を備え、
前記保持部は、開口部を通して前記物品を収容するように構成されている前記開口部を規定し、
前記開口部は側開口を有する、［２０］から［２６］のうちのいずれか一項に記載の補剛アセンブリ。
［２８］  前記保持部は、前記開口部に伸長する内部突起部材を備え、
前記内部突起部材は、前記物品が前記開口部中に収容されたときに、前記物品を係合するように構成されている、［２７］に記載の補剛アセンブリ。
［２９］  前記側開口は、前記物品の前記開口部へのアクセスを可能にするために、前記結合モジュールの長さを伸長する、［２７］または［２８］に記載の補剛アセンブリ。
［３０］  前記円柱部分は前記本体から軸方向に伸長し、
各第１の締結構造は、第１の固定構成をさらに含み、
前記第１の固定構成は、前記バヨネット取付具の第１の部分を備える、［２７］、［２８］または［２９］のうちのいずれか一項に記載の補剛アセンブリ。
［３１］  前記第１の固定構成は、前記円周に伸長する溝を備え、
前記溝は、前記円柱部分の周りの円周に伸長する、［３０］に記載の補剛アセンブリ。
［３２］  前記第１の固定構成は、前記溝の一端に停止部材を含み、
前記停止部材は、前記溝にわたって伸長する壁を備える、［３１］に記載の補剛アセンブリ。
［３３］  前記開口部は、実質的にＵ字形の端部プロフィールを有する、［２８］から［３２］のうちのいずれか一項に記載の補剛アセンブリ。
［３４］  前記本体は、前記収容構造および前記内部空間への前記物品のアクセスを可能にする外開口を規定する、［１５］から［３３］のうちのいずれか一項に記載の補剛アセンブリ。
［３５］  前記外開口は、細長く、前記本体の全長に伸長する、［３４］に記載の補剛アセンブリ。
［３６］  前記収容構造は、前記物品の部分が前記内部空間内に収容されることを可能にする内開口を規定し、
前記内開口は、細長く、前記収容構造の全長に伸長する、［３４］または［３５］に記載の補剛アセンブリ。
［３７］  前記本体は、前記収容構造によって規定される前記内開口に前記物品を案内する案内路を規定する、［３６］に記載の補剛アセンブリ。
［３８］  前記案内路は、前記外開口と前記内開口との間に前記物品を案内するように構成され、
前記本体は、前記外開口と前記内開口との間に伸長する対向壁を備え、
前記対向壁は、前記案内路を規定する、［３７］に記載の補剛アセンブリ。
［３９］  各結合モジュールは、対向する第２の締結構造のペアを備える、［３２］から［３８］のうちのいずれか一項に記載の補剛アセンブリ。
［４０］  前記第２の締結構造のそれぞれは、ソケット構造を備える、［３９］に記載の補剛アセンブリ。
［４１］  各ソケット構造は、中空円柱部分と放射状に内側に伸長する第２の固定構成とを備える、［４０］に記載の補剛アセンブリ。
［４２］  各第２の固定構成は、前記バヨネット取付具の第２の部分を備える、［４１］に記載の補剛アセンブリ。
［４３］  前記第１および第２の固定構成は、前記メインモジュールが前記補剛アセンブリを形成するように互いに結合されるときに、非整列関係で前記メインモジュールを配置するように構成されている、［４１］または［４２］に記載の補剛アセンブリ。
［４４］  前記補剛アセンブリ中の隣接するメインモジュールは、相対的に１８２°と２０４°の間の角度で互いに対して配置されている、［４３］に記載の補剛アセンブリ。
［４５］  前記補剛アセンブリ中の隣接するメインモジュールは、相対的に１８５°と２００°の間の角度で互いに対して配置されている、［４４］に記載の補剛アセンブリ。
［４６］  前記補剛アセンブリ中の隣接するメインモジュールは、実質的に相対的に１９７°の角度で互いに対して配置されている、［４４］または［４５］に記載の補剛アセンブリ。
［４７］  各メインモジュールは、前記または各隣接する結合モジュールに対して、相対的に９１°と１０２°の間の角度で配置されている、［４４］、［４５］または［４６］に記載の補剛アセンブリ。
［４８］  前記補剛アセンブリ中の各メインモジュールは、前記または各隣接する結合モジュールに対して、相対的に９５°と１００°の間の角度で配置されている、［４７］に記載の補剛アセンブリ。
［４９］  前記補剛アセンブリ中の各メインモジュールは、前記または各隣接する結合モジュールに対して、実質的に相対的に９８．５°の角度で配置されている、［４８］に記載の補剛アセンブリ。
［５０］  前記補剛アセンブリの交互のメインモジュールは、相対的に４°と５８°の間の角度で互いに対して配置されている、［４３］に記載の補剛アセンブリ。
［５１］  交互のメインモジュールは、相対的に２０°と４０°の間の角度で互いに対して配置されている、［５０］に記載の補剛アセンブリ。
［５２］  前記補剛アセンブリの交互のメインモジュールは、実質的に相対的に３４°の角度で互いに対して配置されている、［５０］または［５１］に記載の補剛アセンブリ。
［５３］  前記複数のメインモジュールが、前記結合モジュールによって互いに結合されるときに、前記隣接するメインモジュールと結合モジュールが、相対的に９１°と１０２°の間だけ互いに対して回転するように、前記停止部材および／または前記第２の部分が、位置付けられているおよび／または構成されている、［３２］から［４３］のうちのいずれか一項に記載の補剛アセンブリ。
［５４］  物品を補剛するための補剛アセンブリにおいて、
前記補剛アセンブリは、互いに結合されている複数のメインモジュールを備え、
前記メインモジュールのそれぞれは、本体と収容構造を通して前記物品の部分を収容するための前記本体内の前記収容構造を備え、
前記本体は、前記物品の一部分を前記収容構造に収容できるようにする細長いアクセス構造を有し、
前記メインモジュールのそれぞれは、中央長手方向軸を規定し、前記アクセス構造を通しておよび前記軸を通して、長手方向に伸長する平面をさらに規定し、
前記モジュールによって規定された前記平面は、前記それぞれのモジュールに対してそれぞれ実質的同一の位置にあり、
隣接するモジュールの平面は、相対的に１°と２４°の間の角度で互いに対して配置されている、補剛アセンブリ。
［５５］  前記隣接するモジュールの平面は、相対的に１°と１２°の間の角度で互いに対して配置されている、［５４］に記載の補剛アセンブリ。
［５６］  前記隣接するモジュールの平面は、相対的に５°と１０°の間の角度で互いに対して配置されている、［５４］または［５５］に記載の補剛アセンブリ。
［５７］  前記隣接するモジュールの平面は、相対的に８°と９°の間の角度で互いに対して配置されている、［５４］、［５５］または［５６］に記載の補剛アセンブリ。
［５８］  前記隣接するモジュールの平面は、実質的に相対的に８．５°の角度で互いに対して配置されている、［５４］から［５７］のうちのいずれか一項に記載の補剛アセンブリ。
［５９］  前記隣接するモジュールの平面は、相対的に２°と２４°の間の角度で互いに対して配置されている、［５４］に記載の補剛アセンブリ。
［６０］  前記隣接するモジュールの平面は、相対的に１０°と２０°の間の角度で互いに対して配置されている、［５４］または［５９］に記載の補剛アセンブリ。
［６１］  前記隣接するモジュールの平面は、相対的に１６°と１８°の間の角度で互いに対して配置されている、［５４］、［５９］または［６０］に記載の補剛アセンブリ。
［６２］  前記隣接するモジュールの平面は、相対的に実質的に１７°の角度で互いに対して配置されている、［５４］または［５９］から［６１］のうちのいずれか一項に記載の補剛アセンブリ。
［６３］  前記収容構造は、内部空間を通して前記物品を収容するための前記内部空間を規定し、
前記内部空間は、実質的に前記本体の前記中央軸に沿って伸長し、
前記収容構造は、前記物品が前記内部空間を通して伸長できるようにする対向する開放端を有する、［５４］から［６２］のうちのいずれか一項に記載の補剛アセンブリ。
［６４］  前記収容構造と前記内部空間は細長く、
前記収容構造と前記内部空間は、前記本体を通して中央に伸長する、［６３］に記載の補剛アセンブリ。
［６５］  前記メインモジュールを前記物品に固定するための固定構成をさらに含む、［５４］から［６４］のうちのいずれか一項に記載の補剛アセンブリ。
［６６］  前記固定構成は、前記内部空間に伸長する内部突起を備え、
前記突起は、前記物品が前記内部空間中に収容されたときに、前記物品を係合するように構成されている、［６５］に記載の補剛アセンブリ。
［６７］  前記突起は、前記物品によって押しつぶされるように構成されている、［６６］に記載の補剛アセンブリ。
［６８］  前記メインモジュールを互いに締結するための締結構成を備え、
前記締結構成は、第１および第２の締結構造を備える、［５４］から［６７］のうちのいずれか一項に記載の補剛アセンブリ。
［６９］  前記第１の締結構造は、雄型締結構造を備える、［６８］に記載の補剛アセンブリ。
［７０］  前記第２の締結構造は、前記雄型締結構造を収容するための雌型締結構造を備える、［６９］に記載の補剛アセンブリ。
［７１］  前記締結構成は、前記メインモジュールを互いに締結するための結合モジュールを備える、［６８］、［６９］または［７０］に記載の補剛アセンブリ。
［７２］  前記第１および第２の締結構造は、バヨネット取付具を備え、
各バヨネット取付具は、前記メインモジュールと前記結合モジュールのうちの一方上に放射状に伸長する突起部分を備える、［７１］に記載の補剛アセンブリ。
［７３］  各バヨネット取付具は、前記メインモジュールと前記結合モジュールのうちの他方上に円周に伸長する溝を備える、［７２］に記載の補剛アセンブリ。
［７４］  前記第１の締結構造は、前記円周に伸長する溝を備え、
前記溝は、放射状に外側に伸長し、
前記第２の締結構造は、前記突起部分を備える、［７３］に記載の補剛アセンブリ。
［７５］  前記突起部分は、放射状に内側に伸長する、［７４］に記載の補剛アセンブリ。
［７６］  各第１の締結構造は、実質的な円柱部分を備え、
各メインモジュールは、実質的な円柱部分のペアを備え、
各実質的な円柱部分は、前記本体のそれぞれの対向端に設けられている、［７３］から［７５］のうちのいずれか一項に記載の補剛アセンブリ。
［７７］  前記締結構成は、隣接するメインモジュールを互いに結合するための前記複数の結合モジュールを備える、［７３］から［７６］のうちのいずれか一項に記載の補剛アセンブリ。
［７８］  前記第１および第２の締結構造は、前記メインおよび結合モジュール上にそれぞれ設けられる、［７７］に記載の補剛アセンブリ。
［７９］  各メインモジュールは、前記第１の締結構造のうちの少なくとも１つを備え、
各結合モジュールは、前記第２の締結構造のうちの少なくとも１つを備える、［７８］に記載の補剛アセンブリ。
［８０］  前記メインモジュールは、前記第１の締結構造のうちの２つを有し、
前記本体は、対向端と、その前記対向端のそれぞれにおける前記第１の締結構造のそれぞれ１つとを有する、［７９］に記載の補剛アセンブリ。
［８１］  前記結合モジュールのそれぞれは、前記第２の締結構造のうちの２つを有する、［７８］、［７９］または［８０］に記載の補剛アセンブリ。
［８２］  前記第１の締結構造は２つの雄型締結構造を備え、
前記第２の締結構造は、２つの雌型第２の締結構造を備える、［８１］に記載の補剛アセンブリ。
［８３］  前記補剛アセンブリは、前記隣接するメインモジュールのうちの２つを互いに締結するための、それぞれの結合モジュールを含む、［７７］から［８２］のうちのいずれか一項に記載の補剛アセンブリ。
［８４］  前記または各結合モジュールは、前記結合モジュールの前記締結構造間に設けられた保持部を備え、
前記保持部は、開口部を通して前記物品を収容するように構成されている前記開口部を規定し、
前記開口部は、側開口を有する、［７７］から［８３］のうちのいずれか一項に記載の補剛アセンブリ。
［８５］  前記保持部は、前記開口部に伸長する内部突起部材を備え、
前記内部突起部材は、前記物品が前記開口部中に収容されたときに、前記物品を係合するように構成されている、［８４］に記載の補剛アセンブリ。
［８６］  前記側開口は、前記物品の前記開口部へのアクセスを可能にするために、前記結合モジュールの長さを伸長する、［８４］または［８５］に記載の補剛アセンブリ。
［８７］  前記円柱部分は、前記本体から軸方向に伸長し、
各第１の締結構造は、第１の固定構成をさらに含み、
前記第１の固定構成は、前記バヨネット取付具の第１の部分を備える、［８４］、［８５］または［８６］のうちのいずれか一項に記載の補剛アセンブリ。
［８８］  前記第１の固定構成は、前記円周に伸長する溝を備え、
前記溝は、前記円柱部分の円周の周りに伸長する、［８７］に記載の補剛アセンブリ。
［８９］  前記第１の固定構成は、前記溝の一端に停止部材を含み、
前記停止部材は、前記溝をわたって伸張する壁を備える、［８８］に記載の補剛アセンブリ。
［９０］  前記開口部は、実質的にＵ字形の端部プロフィールを有する、［８５］から［８９］のうちのいずれか一項に記載の補剛アセンブリ。
［９１］  前記本体は、前記収容構造および前記内部空間への前記物品のアクセスを可能にする外開口を規定する、［７２］から［９０］のうちのいずれか一項に記載の補剛アセンブリ。
［９２］  前記外開口は、細長く、前記本体の全長に伸長する、［９１］に記載の補剛アセンブリ。
［９３］  前記収容構造は、前記物品の部分が前記内部空間内に収容されることを可能にする内開口を規定し、
前記内開口は、細長く、前記収容構造の全長に伸長する、［９１］または［９２］に記載の補剛アセンブリ。
［９４］  前記本体は、前記収容構造によって規定される前記内開口に前記物品を案内する案内路を規定する、［９３］に記載の補剛アセンブリ。
［９５］  前記案内路は、前記外開口と前記内開口との間に前記物品を案内するように構成され、
前記本体は、前記内開口と前記外開口との間に伸長する対向壁を備え、
前記対向壁は、前記案内路を規定する、［９４］に記載の補剛アセンブリ。
［９６］  各結合モジュールは、対向する第２の締結構造のペアを備える、［８９］から［９５］のうちのいずれか一項に記載の補剛アセンブリ。
［９７］  前記第２の締結構造のそれぞれは、ソケット構造を備える、［９６］に記載の補剛アセンブリ。
［９８］  各ソケット構造は、中空円柱部分と放射状に内側に伸長する第２の固定構成とを備える、［９７］に記載の補剛アセンブリ。
［９９］  各第２の固定構成は、前記バヨネット取付具の第２の部分を備える、［９８］に記載の補剛アセンブリ。
［１００］  前記第１および第２の固定構成は、前記メインモジュールが前記補剛アセンブリを形成するために互いに結合されるときに、非整列関係で前記メインモジュールを配置するように構成されている、［９８］または［９９］に記載の補剛アセンブリ。
［１０１］  実質的に、添付の図面の図１から図８を参照して、ここで説明したような剛アセンブリ。
［１０２］  実質的に、添付の図面の図９から図１６を参照して、ここで説明したような補剛アセンブリ。
［１０３］  実質的に、添付の図面の図１７を参照して、ここで説明したような補剛アセンブリ。